(57)【要約】  【課題】綴じ具や綴じ具を備えた他のファイルに支持され得るものであり、全体的な幅寸法を抑制するための設計の自由度に優れたファイルを提供する。  【解決手段】綴じ孔として使用され得る単数又は複数の孔ｈ２を有した表紙２と、この表紙２に止着され袋状に形成されたポケットシートＰとを備えてなるファイルであって、ポケットシートＰにおける内側端縁ｐｅが、略直線状に延びてなる溶着部ｃにおいて表紙２に止着されたものであり、溶着部ｃが、内側端縁ｐｅ側から外側端縁ｐｇ側に向かって凹んでなる凹部ｃ２を有したものであり、孔ｈ２の少なくとも一部が凹部ｃ２に囲まれた領域ｒ内に位置するように設定されている。【選択図】図８
2019034489.tif 000002
【特許請求の範囲】
【請求項１】
綴じ孔として使用され得る単数又は複数の孔を有した表紙と、この表紙に止着され袋状に形成されたポケットシートとを備えてなるファイルであって、
前記ポケットシートにおける内側端縁が、略直線状に延びてなる溶着部において前記表紙に止着されたものであり、
前記溶着部が、前記内側端縁側から外側端縁側に向かって凹んでなる凹部を有したものであり、前記孔の少なくとも一部が前記凹部に囲まれた領域内に位置するように設定されているファイル。
【請求項２】
前記溶着部が、複数の溶着点を備えたものであり、これら複数の溶着点が間隔をあけて上下方向に延びた仮想直線上に沿って配列されており、
前記複数の溶着点の内、特定の溶着点の間に前記凹部が配設されている請求項１記載のファイル。
【請求項３】
前記凹部が、上辺部分と、この上辺部分と略平行をなす下辺部分と、前記上辺部分の一端と前記下辺部分の一端とを繋ぐ側辺部分とを備えてなるものであり、少なくとも、前記上辺部分及び前記下辺部分が、前記表紙に対して溶着されている請求項２記載のファイル。
【請求項４】
前記上辺部分、前記下辺部分、及び、前記側辺部分が、前記表紙に対して溶着されている請求項３記載のファイル。
【請求項５】
前記孔が丸孔状をなしたものであり、この孔の略半分が前記凹部に囲まれた領域内に位置するように設定されている請求項１、２、３又は４記載のファイル。
【請求項６】
前記表紙が、前記凹部に囲まれた領域に、前記ポケットシートと同じ樹脂により形成された膜状のカバー層を設けたものである請求項１、２、３、４又は５記載のファイル。
【請求項７】
請求項１〜６の何れかに記載のファイルの製造方法であって、
前記ポケットシートを前記表紙に対して溶着する溶着工程と、この溶着工程を経た後に前記孔を穿設する孔穿設工程とを備えたものであり、
前記溶着工程が、溶着手段を用いて前記凹部を形成するとともに当該凹部に囲まれた領域に前記ポケットシートの融解を経て成形された膜状のカバー層を設ける凹部形成工程を含んだものであり、
前記孔穿設工程が、前記表紙と前記カバー層とが積層する領域に、穿孔手段を用いて前記孔を穿設するものであるファイルの製造方法。
【発明の詳細な説明】
【技術分野】
【０００１】
本発明は、オフィス等において好適に使用されるファイル、及び、ファイルの製造方法に関する。
【背景技術】
【０００２】
従来から、袋状に形成されたポケットシートを備えたファイルが種々知られている（例えば、特許文献１を参照）。
【０００３】
ところで、上掲したようなファイルの所定箇所にパンチ孔を設けるようにすれば、ファイルそれ自体を種々の綴じ具又は種々の綴じ具を備えた他のファイルに保持させることも可能となる。
【０００４】
ところが、ポケットシートを避けて表紙にパンチ孔を設けるようにした場合、ファイル全体の幅寸法が過度に長く設定されてしまうことになるという不具合がある。
【先行技術文献】
【特許文献】
【０００５】
【特許文献１】実用新案登録第３１３９１１８号公報
【発明の概要】
【発明が解決しようとする課題】
【０００６】
本発明は、以上のような事情に着目してなされたもので、綴じ具や綴じ具を備えた他のファイルに支持され得るものであり、全体的な幅寸法を抑制するための設計の自由度に優れたファイル、及び、ファイルの製造方法を提供することにある。
【課題を解決するための手段】
【０００７】
すなわち、本発明は次の構成をなしている。
【０００８】
請求項１に記載の発明は、綴じ孔として使用され得る単数又は複数の孔を有した表紙と、この表紙に止着され袋状に形成されたポケットシートとを備えてなるファイルであって、前記ポケットシートにおける内側端縁が、略直線状に延びてなる溶着部において前記表紙に止着されたものであり、前記溶着部が、前記内側端縁側から外側端縁側に向かって凹んでなる凹部を有したものであり、前記孔の少なくとも一部が前記凹部に囲まれた領域内に位置するように設定されているファイルである。
【０００９】
請求項２に記載の発明は、前記溶着部が、複数の溶着点を備えたものであり、これら複数の溶着点が間隔をあけて上下方向に延びた仮想直線上に沿って配列されており、前記複数の溶着点の内、特定の溶着点の間に前記凹部が配設されている請求項１記載のファイルである。
【００１０】
請求項３に記載の発明は、前記凹部が、上辺部分と、この上辺部分と略平行をなす下辺部分と、前記上辺部分の一端と前記下辺部分の一端とを繋ぐ側辺部分とを備えてなるものであり、少なくとも、前記上辺部分及び前記下辺部分が、前記表紙に対して溶着されている請求項２記載のファイルである。
【００１１】
請求項４に記載の発明は、前記上辺部分、前記下辺部分、及び、前記側辺部分が、前記表紙に対して溶着されている請求項３記載のファイルである。
【００１２】
請求項５に記載の発明は、前記孔が丸孔状をなしたものであり、この孔の略半分が前記凹部に囲まれた領域内に位置するように設定されている請求項１、２、３又は４記載のファイルである。
【００１３】
請求項６に記載の発明は、前記表紙が、前記凹部に囲まれた領域に、前記ポケットシートと同じ樹脂により形成された膜状のカバー層を設けたものである請求項１、２、３、４又は５記載のファイル。
【００１４】
請求項７に記載の発明は、請求項１〜６の何れかに記載のファイルの製造方法であって、前記ポケットシートを前記表紙に対して溶着する溶着工程と、この溶着工程を経た後に前記孔を穿設する孔穿設工程とを備えたものであり、前記溶着工程が、溶着手段を用いて前記凹部を形成するとともに当該凹部に囲まれた領域に前記ポケットシートの融解を経て成形された膜状のカバー層を設ける凹部形成工程を含んだものであり、前記孔穿設工程が、前記表紙と前記カバー層とが積層する領域に、穿孔手段を用いて前記孔を穿設するものであるファイルの製造方法である。
【発明の効果】
【００１５】
以上説明したように本発明によれば、綴じ具や綴じ具を備えた他のファイルに支持され得るものであり、全体的な幅寸法を抑制するための設計の自由度に優れたファイル、及び、ファイルの製造方法を提供することができるものとなる。
【図面の簡単な説明】
【００１６】
【図１】本発明の一実施形態を示す斜視図。
【図２】同実施形態における展開状態の内面側を示す斜視図。
【図３】同実施形態における展開状態の外面側を示す斜視図。
【図４】同実施形態における背紙を説明するための展開図。
【図５】同実施形態における背紙を説明するための展開図。
【図６】同実施形態における展開状態の内面側を示す正面図。
【図７】図６におけるＸ−Ｘ線断面図。
【図８】図６におけるＹ部分拡大図。
【図９】同実施形態における一使用例を説明するための斜視図。
【図１０】他の実施形態における展開状態の内面側を示す正面図。
【図１１】図１０におけるＺ−Ｚ線断面図。
【発明を実施するための形態】
【００１７】
以下、本発明の一実施形態を、図１〜９を参照して説明する。
【００１８】
この実施形態は、本発明を、複数枚のポケットシートＰを備えてなるファイルＡに適用したものである。
【００１９】
このファイルＡは、それ自体を独立した状態で使用することができるのはもちろんのことであるが、図９に示す使用例に示すように、綴じ具Ｅを有した他のファイルＪに支持され得るように構成されている。換言すれば、他のファイルＪにおける綴じ具Ｅの綴じ桿ｅ１を、本発明であるファイルＡの孔ｈ１、ｈ２、ｈ３に挿通させた状態においても、当該ファイルＡは収容機能を損ねることなく使用することが可能なものとなっている。
【００２０】
なお、図９はファイルＡが他のファイルＪに支持された一例を示したものにすぎない。すなわち、本実施形態のファイルＡは、図９とは異なる綴じ具を有した種々のファイルに支持され得るものであるし、表紙等を備えていない種々の綴じ具にも支持され得るものである。
【００２１】
ファイルＡは、見出しとして機能し得る背紙Ｂと、この背紙Ｂを保持し得る背紙保持部Ｈが設けられた表表紙１及び表紙である裏表紙２と、裏表紙２の内面に溶着により止着され袋状に形成された複数のポケットシートＰとを備えてなるものである。表表紙１と裏表紙２は、当該表表紙１及び裏表紙２の外面に溶着により取り付けられた外側シート３を介して連結されている。表表紙１の内側端縁１ｅと裏表紙２の内側端縁２ｅとの間には、背紙保持部Ｈの内部に背紙Ｂを挿入し得る背紙挿入口ｇが形成されている。背紙挿入口ｇは、上下方向に延びたスリット状をなしている。
【００２２】
以下、このファイルＡについて詳述する。
【００２３】
背紙Ｂは、外面に文字等を記入し得る紙製のものである。背紙Ｂは、図４及び図５に示すように、展開状態において上下方向に長い略矩形状をなしている。背紙Ｂは、展開状態における左右方向中央部に上下方向に直線状に延びる折り曲げ線ｆを備えている。背紙Ｂは、外側シート３の内面に添接するとともに表表紙１の外面側を覆う表側領域ｂ１１と、外側シート３の内面に添接するとともに裏表紙２の外面側を覆う裏側領域ｂ１２とを備えている。表側領域ｂ１１と裏側領域ｂ１２は、折り曲げ線ｆを境界にして左右に設けられている。背紙Ｂは、外面に文字等が記載される主要部分となる背紙本体ｂ１と、外側シート３と表表紙１と裏表紙２にそれぞれ設けられた孔ｈ３、ｈ１、ｈ２に重なる部分を有した離脱可能片ｂ２を備えている。
【００２４】
背紙Ｂは、離脱可能片ｂ２が背紙本体ｂ１から離脱可能に構成されている。この実施形態では、離脱可能片ｂ２が展開状態における背紙本体ｂ１の上下方向及び左右方向の中央に配された縦長の略長方形状をなしている。離脱可能片ｂ２は、切断ガイド線ｓを介して背紙本体ｂ１に接続したものとなっている。切断ガイド線ｓは、間欠的に設けられた複数のスリットにより構成されている。切断ガイド線ｓは、いわゆる「ミシン目」と称されるものである。そして、切断ガイド線ｓを切断することにより、離脱可能片ｂ２が背紙本体ｂ１から離脱可能に構成されている。離脱可能片ｂ２が離脱した後の背紙本体ｂ１は、展開状態において、矩形輪状をなしており中央部に矩形状の連通部ｂ１ａが形成されている。なお、この実施形態のガイド線ｓは、展開状態における四ケ所の角部に設けられた同一長さの湾曲スリットｓ１と、湾曲スリットｓ１の間に複数配された同一長さの直線スリットｓ２とを備えている。離脱可能片ｂ２が背紙本体ｂ１から離脱した後は、図５及び図９に示すように、他のファイルＪの綴じ具ＥにファイルＡが支持されている状態において、背紙本体ｂ１に、他のファイルＪにおける綴じ具Ｅの綴じ桿ｅ１が通過可能な連通部ｂ１ａが形成されることになる。なお、図１及び図９では、説明の便宜上、背紙Ｂを色塗りして表示している。
【００２５】
表表紙１は、合成樹脂により作られた矩形シート状のものである。表表紙１は、背紙Ｂが位置する領域に綴じ孔として使用され得る複数の（二つの）孔ｈ１を有している。二つの孔ｈ１は上下に所定の間隔をあけて設けられている。これらの孔ｈ１は、パンチ孔とも称されるものであり、丸孔状をなしている。
【００２６】
表紙である裏表紙２は、合成樹脂により作られた矩形シート状のものである。裏表紙２は、背紙Ｂが位置する領域に綴じ孔として使用され得る複数の（二つの）孔ｈ２を有している。二つの孔ｈ２は上下に所定の間隔をあけて設けられている。これらの孔ｈ２は、パンチ孔とも称されるものであり、丸孔状をなしている。裏表紙２の厚み寸法が、表表紙１の厚み寸法よりも長く設定されている。換言すれば、裏表紙２は表表紙１よりも厚く設定されている。
【００２７】
外側シート３は、表表紙１及び裏表紙２と協働して背紙Ｂを保持し得る背紙保持部Ｈを構成するものである。外側シート３は、背紙Ｂに示された文字や図形等が外部から視認され得るように透光性を有しているものであり、この実施形態では透明のものである。外側シート３は、表表紙１と重なる領域である表側領域３１と、裏表紙２と重なる領域である裏側領域３２とを備えている。外側シート３は、展開状態において上下方向に延びた略矩形状をなしている。図３に示すように、外側シート３における外周縁の略全域が、表表紙１及び裏表紙２の外面に溶着されている。換言すれば、外側シート３の外周縁には、表表紙１の外面及び裏表紙２の外面に溶着された溶着部ｔが設けられている。外側シート３は、綴じ孔として使用され得る複数の（二つの）孔ｈ３を有している。二つの孔ｈ３は上下に所定の間隔をあけて設けられている。これらの孔ｈ３は、パンチ孔と称されるものであり、丸孔状をなしている。外側シート３は、その展開状態における左右方向中央部、すなわち、表側領域３１と裏側領域３２との境界部分に折り線部３ａを備えている。折り線部３ａは、ファイルＡが閉じた状態をとる際に折り曲げられる部分となる。
【００２８】
背紙挿入口ｇを臨む表表紙１の内側端縁１ｅと裏表紙２の内側端縁２ｅには、所定の位置に凹陥部１ｋ、２ｋが設けられている。表表紙１及び裏表紙２に凹陥部１ｋ、２ｋを設けることにより、表表紙１及び裏表紙２の各内側端縁１ｅ、２ｅには、手指によってめくりやすい突出片状の指掛け部分１ｙ、２ｙが形成されることになる。すなわち、表表紙１及び裏表紙２の凹陥部１ｋ、２ｋは、背紙挿入口ｇを通して背紙Ｂを背紙保持部Ｈに挿入しやすくさせている。
【００２９】
背紙保持部Ｈは、背紙Ｂを保持し得る部位である。背紙保持部Ｈは、外側シート３と、この外側シート３の内側に配された内側シートすなわち表表紙１における外側シート３と重なり合う部分１ａ及び裏表紙２における外側シート３と重なり合う部分２ａである。背紙保持部Ｈは、背紙Ｂを、外側シート３と表表紙１の一部分１ａ、及び、外側シート３と裏表紙２の一部分１ａとの間に挟むことにより保持し得るものとなっている。
【００３０】
外側シート３、表表紙１、及び、裏表紙２には、それぞれ綴じ孔として使用され得る孔ｈ３、ｈ１、ｈ２が相互に連通し得るように設けられている。つまり、外側シート３には、複数箇所（四箇所）に綴じ孔として使用され得る孔ｈ３が設けられている。外側シート３には、表表紙１と重なる領域である表側領域３１に、上下方向に所定の間隔をあけて二つの孔ｈ３が設けられている。外側シート３には、裏表紙２と重なる領域である裏側領域３２に上下方向に所定の間隔をあけて二つの孔ｈ３が設けられている。外側シート３、表表紙１、及び、裏表紙２に設けられた各孔ｈ３、ｈ１、ｈ２には、例えば、綴じ具Ｅの綴じ桿ｅ１（図９を参照）や他の綴じ具の綴じ足（図示せず）が連通し得るようになっている。
【００３１】
ポケットシートＰは、合成樹脂製のものである。ポケットシートＰは、フィルム素材を用いて袋状に形成されている。ポケットシートＰは、内部に収容物である用紙Ｄを収容し得る収容空間ｓｐを有している。なお、収容物は用紙Ｄに限られるものではないし、材質や形状を問わない。この実施形態では、収容空間ｓｐには、主として、用紙Ｄ等に代表される矩形シート状の収容物が収容され得るものとなっている。ポケットシートＰは、縦長の長方形状をなしている。ポケットシートＰにおける内側端縁ｐｅは、上下方向に略直線状に延びてなる溶着部ｃにおいて裏表紙２の内面側に止着されている。
【００３２】
ポケットシートＰは、上端部に開口部ｋを有するとともに内部に収容空間ｓｐを形成してなるポケットシート本体ｐ１と、ポケットシート本体ｐ１の内側端縁ｐｅに当該ポケットシート本体ｐ１と裏表紙２とを接続するべく形成された溶着部ｃとを備えている。
【００３３】
ポケットシート本体ｐ１は、Ａ４サイズの用紙Ｄを収容空間ｓｐ内に収容し得る大きさに設定されている。
【００３４】
溶着部ｃは、ポケットシート本体ｐ１を溶着手段（図示せず）により裏表紙２の内面に溶着した結果、ポケットシート本体ｐ１の内側端縁ｐｅに形成されている。溶着部ｃは、ポケットシート本体ｐ１における内側端縁ｐｅ側から外側端縁ｐｇ側に向かって凹んでなる凹部ｃ２を有している。裏表紙２に形成された孔ｈ２の少なくとも一部は、凹部ｃ２に囲まれた領域ｒ内に位置するように設定されている。この実施形態では、裏表紙２に形成された孔ｈ２の略半分が凹部ｃ２に囲まれた領域ｒ内に位置するように設定されている。
【００３５】
溶着部ｃは、複数の溶着点ｃ１を備えている。溶着部ｃは、複数の溶着点ｃ１が間隔をあけて上下方向に延びた仮想直線Ｌ上に沿って配列されている。そして、複数の溶着点ｃ１の内、特定の溶着点ｃ１の間に凹部ｃ２が配設されている。
【００３６】
凹部ｃ２は、図８の拡大図に示すように、上辺部分ｃ２１と、上辺部分ｃ２１と略平行をなす下辺部分ｃ２２と、上辺部分ｃ２１の一端と下辺部分ｃ２２の一端とを繋ぐように上下方向に延びた側辺部分ｃ２３とを備えてなるものである。この実施形態では、上辺部分ｃ２１、下辺部分ｃ２２、及び、側辺部分ｃ２３が、裏表紙２に対して溶着されている。
【００３７】
以上説明したように、本実施形態に係るファイルＡは、綴じ孔として使用され得る複数の孔ｈ１、ｈ２を有した表表紙１及び裏表紙２と、裏表紙２に止着され袋状に形成されたポケットシートＰとを備えてなるものである。そして、ポケットシートＰにおける内側端縁ｐｅが、略直線状に延びてなる溶着部ｃにおいて裏表紙２に止着されたものであり、溶着部ｃが、内側端縁ｐｅ側から外側端縁ｐｇ側に向かって凹んでなる凹部ｃ２を有したものであり、裏表紙２の孔ｈ２の一部が凹部ｃ２に囲まれた領域ｒ内に位置するように設定されている。このため、綴じ具や綴じ具を備えた他のファイルに支持され得るものであり、全体的な幅寸法を抑制するための設計の自由度に優れたファイルＡを提供することができるものとなる。つまり、このファイルＡは、溶着部ｃにおける凹部ｃ２に囲まれた領域ｒ内に、裏表紙２における孔ｈ２の一部を位置させている。そのため、孔ｈ２とポケットシートＰの外側端縁ｐｇとの離間寸法をポケットシートＰにおける収容空間ｓｐの大きさを損ねることなく可及的に短く設定することができるものとなる。
【００３８】
溶着部ｃが、複数の溶着点ｃ１を備えたものであり、これら複数の溶着点ｃ１が間隔をあけて上下方向に延びた仮想直線Ｌ上に沿って配列されており、複数の溶着点ｃ１の内、特定の溶着点ｃ１の間に凹部ｃ２が配設されている。このため、凹部ｃ２を溶着部ｃにおける所定の箇所に好適に設けることができるものとなる。
【００３９】
凹部ｃ２が、上辺部分ｃ２１と、この上辺部分ｃ２１と略平行をなす下辺部分ｃ２２と、上辺部分ｃ２１の一端と下辺部分ｃ２１の一端とを繋ぐ側辺部分ｃ２３とを備えてなるものであり、上辺部分ｃ２１、下辺部分ｃ２２、及び、側辺部分ｃ２３が、裏表紙２に対して溶着されている。つまり、ポケットシートＰにおける凹部ｃ２それ自体も裏表紙２に対して好適に接続したものとなっているため、ポケットシートＰが裏表紙２に対して強度に優れた態様で好適に接続したものとなる。
【００４０】
ポケットシートＰが、収容物である用紙Ｄを収容し得る収容空間ｓｐを有した略矩形状をなすものである。このため、一般的な矩形状の用紙Ｄを好適に収容し得るものとなっている。
【００４１】
裏表紙２における孔ｈ２が丸孔状をなしたものであり、この孔ｈ２の略半分が凹部ｃ２に囲まれた領域ｒ内に位置するように設定されている。このため、所期の目的を達成し得るとともに裏表紙２に対する孔ｈ２の形成を好適に実施し得るものとなる。例えば、丸孔状の孔ｈ２の形成を、従来から使用されているパンチ孔形成手段（図示せず）を用いて実行することができるものとなっている。
【００４２】
略矩形状をなす表表紙１と、略矩形状をなす表紙である裏表紙２とを備えてなるものであり、表表紙１と裏表紙２が、当該表表紙１及び裏表紙２の外面に取り付けられた外側シート３を介して連結されている。このため、ポケットシートＰが溶着される裏表紙２は、表表紙１に対して別個独立した部品として取り扱い得るものとなるため、ポケットシートＰに対する溶着部ｃの形成を好適に実施し得るものとなる。
【００４３】
なお、本発明は、以上に詳述した実施形態に限られるものではない。
【００４４】
図１０及び図１１に示すように、表紙である裏表紙２が、凹部ｃ２に囲まれた領域ｒに、ポケットシートＰと同じ樹脂により形成された膜状のカバー層ｃｖを設けたものであってもよい。膜状のカバー層ｃｖは、ポケットシートＰにおける内側端縁ｐｅの一部分を、図示しない溶着手段を用いて融解させることにより設けられている。
【００４５】
換言すれば、ファイルＡの製造方法は、ポケットシートＰを裏表紙２に対して溶着する溶着工程と、この溶着工程を経た後に孔ｈ２を穿設する孔穿設工程とを備えている。そして、溶着工程が、溶着手段を用いて凹部ｃ２を形成するとともに当該凹部ｃ２に囲まれた領域ｒにポケットシートＰの融解を経て成形された膜状のカバー層ｃｖを設ける凹部形成工程を含んでいる。孔穿設工程が、裏表紙２とカバー層ｃｖとが積層する領域（すなわち、凹部ｃ２に囲まれた領域ｒ）に、図示しない穿孔手段を用いて孔ｈ２を穿設するものとなっている。
【００４６】
このようなものであれば、ポケットシートＰに凹部ｃ２を形成するために、溶着前のポケットシートＰの内側端縁ｐｅに、あらかじめ凹欠した部分を設けておくことなく、ポケットシートＰに凹部ｃ２を好適に形成することができるものとなる。つまり、溶着前のポケットシートＰを裏表紙２に溶着する工程において、両者（ポケットシートＰ及び裏表紙２）を接着することができるとともに所要の凹部ｃ２を形成することができるものとなる。このため、凹欠した部分を有するような特別な仕様のポケットシートを準備する必要性がなくなるため、ファイルＡを製造するための工程の複雑化を回避し、工数の低減に寄与し得るものとなる。しかも、カバー層ｃｖは膜状をなし裏表紙１に添着したものとなっているため、孔ｈ２の縁部分をきれいな状態に形成することができるものとなる。すなわち、孔ｈ２を形成するための孔穿設工程を経ても、孔ｈ２の縁部分にバリ部分や歪み部分が発生し難いものとなっている。
【００４７】
表紙は、裏表紙に限られず表表紙であってもよい。
【００４８】
また、表紙に設けられた孔は、二以上の複数設けられたものであってもよいし、単数設けられたものであってもよい。
【００４９】
溶着部は、上下方向に直線状に延びるものに限られたものではなく、左右方向に延びた態様のものであってもよい。
【００５０】
凹部の形状は種々の形状を採り得るものであり、上述した実施形態に示したものに限られるものではない。
【００５１】
孔は、その全部が凹部に囲まれた領域内に位置するものであってもよい。
【００５２】
孔は、溶着工程を経て表紙とカバー層とが積層し、且つ、全周囲が溶着されていないポケットシート部分によって囲まれている領域に、形成したものであってもよい。
【００５３】
上述した実施形態では、凹部が、上辺部分、下辺部分及び側辺部分のすべてを表紙に溶着してなる態様を示していたが、このようなものに限られるものではなく、上辺部分及び下辺部分のみが、表紙に対して溶着されているものであってもよい。また、凹部を構成している上辺部分、下辺部分、及び、側辺部分が、裏表紙に対して溶着されていないものであってもよい。
【００５４】
表紙に形成される孔は、綴じ具における綴じ桿や綴じ足を通過させ得るものであればどのような形状のものであってもよく、丸孔状のものに限られるものではない。
【００５５】
その他、各部の具体的構成についても上記実施形態に限られるものではなく、本発明の趣旨を逸脱しない範囲で種々変形が可能である。
【符号の説明】
【００５６】
２…裏表紙（表紙）
ｃ…溶着部
ｃ２…凹部
ｈ２…孔
Ｐ…ポケットシート
ｐｅ…内側端縁
ｐｇ…外側端縁
ｒ…囲まれた領域
【図１】
2019034489.tif 000003
【図２】
2019034489.tif 000004
【図３】
2019034489.tif 000005
【図４】
2019034489.tif 000006
【図５】
2019034489.tif 000007
【図６】
2019034489.tif 000008
【図７】
2019034489.tif 000009
【図８】
2019034489.tif 000010
【図９】
2019034489.tif 000011
【図１０】
2019034489.tif 000012
【図１１】
2019034489.tif 000013